(57)【要約】【課題】少なくとも１つの電気的なコンタクトエレメントのための差込み接続部において、一方では、製造の信頼性あるいは製造の精度を向上させ、他方では、コネクタハウジングの構成スペースを減少させる。【解決手段】当接面（６４；７２）が、係止要素（５７）の上方あるいは下方の一平面内に配置されており、かつ前記係止要素（５７）が、該係止要素（５７）の上面あるいは下面に配置され前記当接面（６４；７２）と協働する当接要素（６３）を有しているようにした。【選択図】図３
2011060768.tif 000002
【特許請求の範囲】
【請求項１】
少なくとも１つの電気的なコンタクトエレメントのための差込み接続部（５０；７０）であって、前記少なくとも１つの電気的なコンタクトエレメントを収容するコネクタハウジング（５１；７１）を備え、該コネクタハウジング（５１；７１）が各々の電気的なコンタクトエレメントのために収容部（５２）を有しており、該収容部（５２）内に前記電気的なコンタクトエレメントが挿入可能であり、該電気的なコンタクトエレメントには係止区分が形成されており、該係止区分が、前記コネクタハウジング（５１；７１）内に弾性的に変位可能に配置されている係止要素（５７）に設けられた係止フック（５８）と協働するようになっており、かつ前記コネクタハウジング（５１；７１）内には当接面（６４；７２）が配置されており、該当接面（６４；７２）が前記係止要素（５７）と協働して、該係止要素（５７）の運動行程を制限するようになっている形式のものにおいて、前記当接面（６４；７２）が、前記係止要素（５７）の上方あるいは下方の一平面内に配置されており、かつ前記係止要素（５７）が、該係止要素（５７）の上面あるいは下面に配置され前記当接面（６４；７２）と協働する当接要素（６３）を有していることを特徴とする、少なくとも１つの電気的なコンタクトエレメントのための差込み接続部。
【請求項２】
前記当接面（６４；７２）が、一体的に前記コネクタハウジング（５１；７１）に形成されており、該コネクタハウジング（５１；７１）とともに射出成形法で製造されている、請求項１記載の差込み接続部。
【請求項３】
前記係止要素（５７）が、舌状に形成されており、該係止要素（５７）の一端において前記コネクタハウジング（５１；７１）に結合されている、請求項１又は２記載の差込み接続部。
【請求項４】
前記係止要素（５７）と前記コネクタハウジング（５１；７１）との間の結合箇所に対向して位置する側で、前記係止要素（５７）と前記電気的なコンタクトエレメントとの間に、前記コネクタハウジング（５１；７１）内に導入開口（６０）が形成されており、該導入開口（６０）は少なくとも前記係止要素（５７）の高さまで達している、請求項３記載の差込み接続部。
【請求項５】
前記当接要素（６３）が、前記係止要素（５７）の少なくともほぼ全長にわたって形成されており、かつ前記当接面（６４；７２）が、少なくとも前記当接要素（６３）の長さを有する、請求項１から４までのいずれか１項記載の差込み接続部。
【請求項６】
前記収容部（５２）が、電気的なコンタクトピンのための開口（５５）を有しており、該開口（５５）が、前記導入開口（６０）の側方に配置されている、請求項４又は５記載の差込み接続部。
【請求項７】
前記コネクタハウジング（５１；７１）が複数の収容部（５２）を備え、少なくとも一列の、隣り合って配置され、それぞれ交番する導入開口（６０）及び開口（５５）が形成される、請求項６記載の差込み接続部。
【請求項８】
前記コネクタハウジング（５１；７１）が複数の収容部（５２）を備え、少なくとも一列の、重なり合って配置される導入開口（６０）及び開口（５５）が形成される、請求項６記載の差込み接続部。
【請求項９】
前記当接面（６４）が、前記コネクタハウジング（５１）内に配置される横方向壁（６６）に形成されており、該横方向壁（６６）が、前記当接面（６４）と比較して、前記係止要素（５７）に対してより大きな間隔を有する、請求項１から８までのいずれか１項記載の差込み接続部。
【請求項１０】
前記当接面（７２）が、前記係止要素（５７）の上方に配置されるハウジング区分（７３）に形成されており、かつ前記コネクタハウジング（７１）が自由空間（７４）を備え、該自由空間（７４）内に前記係止要素（５７）が該係止要素（５７）の運動時に進入する、請求項１から８までのいずれか１項記載の差込み接続部。
【発明の詳細な説明】
【技術分野】
【０００１】
本発明は、少なくとも１つの電気的なコンタクトエレメントのための差込み接続部であって、前記少なくとも１つの電気的なコンタクトエレメントを収容するコネクタハウジングを備え、該コネクタハウジングが各々の電気的なコンタクトエレメントのために収容部を有しており、該収容部内に前記電気的なコンタクトエレメントが挿入可能であり、該電気的なコンタクトエレメントには係止区分が形成されており、該係止区分が、前記コネクタハウジング内に弾性的に変位可能に配置されている係止要素に設けられた係止フックと協働するようになっており、かつ前記コネクタハウジング内には当接面が配置されており、該当接面が前記係止要素と協働して、該係止要素の運動行程を制限するようになっている形式のものに関する。
【背景技術】
【０００２】
この種の差込み接続部は、既に公知であり、例えば自動車内の電気的な装置あるいはハウジング内において、前記装置を電気的に外部から、例えばケーブルハーネスコネクタによって接続するために使用される。このために、差込み接続部は、電気的なコンタクトエレメントのための少なくとも１つの収容部を備えるコネクタハウジングを備える。他方、電気的なコンタクトエレメントは、装置内あるいはハウジング内の電気的又は電子的な構成部品に接続されている。
【０００３】
電気的なコンタクトエレメントを確実にコネクタハウジングの収容部内にアンカー固定するために、電気的なコンタクトエレメントは係止区分を有しており、係止区分は、コネクタハウジング内に配置される係止要素に設けられた対応する相手側区分と協働する。その結果、電気的なコンタクトエレメントは、形状結合（ｆｏｒｍｓｃｈｌｕｅｓｓｉｇ：形状による束縛）式及び摩擦力結合（ｋｒａｆｔｓｃｈｌｕｅｓｓｉｇ：摩擦力による束縛）式にコネクタハウジング内に収容されている。これにより、一方では、相手側コネクタとの電気的なコンタクトエレメントの確実な電気的なコンタクトが可能であり、他方では、電気的なコンタクトエレメントが意図せずコネクタハウジング内に押し込まれてしまう可能性が排除される。この場合、係止要素は、特に弾性的に変位可能に配置されているので、変位の際には、コンタクトエレメントに設けられた係止区分を解放して、必要なときに、コンタクトエレメントをハウジングから例えば引き抜くか、又は押し出すことができる。
【０００４】
その際、係止要素の繰り返しの使用、あるいは電気的なコンタクトエレメントの改めての保持を可能にするためには、係止要素が変位時に塑性変形することがないように、係止要素を形成あるいは配置することが重要である。このために、背景技術では、コネクタハウジング内での係止要素の運動行程あるいは運動経路中に横方向壁が配置されている。横方向壁は、係止要素の変位時に、係止要素のためのストッパを形成する。上述のコネクタハウジングは、横方向壁及び係止要素とともに一体的な射出成形部品として形成されている。このとき、幾何学的な寸法に基づいて係止要素が横方向壁に対して比較的小さな間隔を置いて配置されていることは欠点である。これにより、製造プロセス時、最適とは言い難い冷却プロセスが生じ、係止要素の変形あるいは歪みに至らしめる場合がある。これにより、差込み接続部の機能性は保証されていない。さらに、複数の電気的なコンタクトエレメントがコネクタハウジング内に隣り合って配置される場合、所要スペースが、やはり所定の幅、ひいては所定の構成スペースを必要とする多数の横方向壁により、比較的大きいので、コネクタハウジングが全体的に見て比較的大きな構成スペースを取ることは欠点である。
【発明の概要】
【発明が解決しようとする課題】
【０００５】
上述の従来技術から出発して、本発明の課題は、請求項１の上位概念部に記載の少なくとも１つの電気的なコンタクトエレメントのための差込み接続部を改良して、一方では、製造の信頼性あるいは製造の精度を向上させ、他方では、コネクタハウジングの構成スペースを減少させることである。
【課題を解決するための手段】
【０００６】
上記課題を解決するために本発明の構成では、前記当接面が、前記係止要素の上方あるいは下方の一平面内に配置されており、かつ前記係止要素が、該係止要素の上面あるいは下面に配置され前記当接面と協働する当接要素を有しているようにした。
【０００７】
本発明の根底には、係止要素の比較的近傍に配置される横方向壁を省略し、その代わりに横方向壁を、係止要素の上方あるいは下方の一平面内に配置され係止要素の当接面と協働する当接要素に代替するという思想がある。
【０００８】
本発明に係る少なくとも１つの電気的なコンタクトエレメントのための差込み接続部の有利な態様は、従属請求項に記載されている。
【０００９】
好ましくは、前記当接面が、一体的に前記コネクタハウジングに形成されており、該コネクタハウジングとともに射出成形法で製造されている。
【００１０】
好ましくは、前記係止要素が、舌状に形成されており、該係止要素の一端において前記コネクタハウジングに結合されている。
【００１１】
好ましくは、前記係止要素と前記コネクタハウジングとの間の結合箇所に対向して位置する側で、前記係止要素と前記電気的なコンタクトエレメントとの間に、前記コネクタハウジング内に導入開口が形成されており、該導入開口は少なくとも前記係止要素の高さまで達している。
【００１２】
好ましくは、前記当接要素が、前記係止要素の少なくともほぼ全長にわたって形成されており、かつ前記当接面が、少なくとも前記当接要素の長さを有する。
【００１３】
好ましくは、前記収容部が、特にピン状の電気的なコンタクトピンのための開口を有しており、該開口が、前記導入開口の側方に配置されている。
【００１４】
好ましくは、前記コネクタハウジングが複数の収容部を備え、少なくとも一列の、隣り合って配置され、それぞれ交番する導入開口及び開口が形成される。
【００１５】
好ましくは、前記コネクタハウジングが複数の収容部を備え、少なくとも一列の、重なり合って配置される導入開口及び開口が形成される。
【００１６】
好ましくは、前記当接面が、前記コネクタハウジング内に配置される横方向壁に形成されており、該横方向壁が、前記当接面と比較して、前記係止要素に対してより大きな間隔を有する。
【００１７】
好ましくは、前記当接面が、前記係止要素の上方に配置されるハウジング区分に形成されており、かつ前記コネクタハウジングが自由空間を備え、該自由空間内に前記係止要素が該係止要素の運動時に進入する。
【００１８】
本発明の範囲内には、明細書、特許請求の範囲及び／又は図面に開示される少なくとも２つの特徴のすべての組み合わせが含まれる。
【発明の効果】
【００１９】
差込み接続部の特にコネクタハウジングの経済的に有利な製造は、当接面が、一体的にコネクタハウジングに形成されており、コネクタハウジングとともに射出成形法で製造されていると可能となる。
【００２０】
本発明の有利な形態では、係止要素が、舌状に形成されており、係止要素の一端においてコネクタハウジングに結合されている。この形態によって、係止要素の比較的大きな運動行程が生じるので、電気的なコンタクトエレメントにおける係止結合部の解除が簡単に可能である。
【００２１】
さらに、電気的なコンタクトエレメントあるいは係止要素の前記解除を特に簡単に実現するために、係止要素とコネクタハウジングとの間の結合箇所に対向して位置する側で、係止要素と電気的なコンタクトエレメントとの間に、コネクタハウジング内に導入開口が形成されており、導入開口は少なくとも係止要素の高さまで達している。
【００２２】
さらに、有利には、当接要素が、係止要素の少なくともほぼ全長にわたって形成されており、かつ当接面が、少なくとも当接要素の長さを有する。これにより、係止要素が当接面に当接した際の面圧が減少するので、係止要素あるいは当接面の損傷が減じられる。
【００２３】
さらに、コンパクトな構造、及び差込み接続部のための相手側コネクタの確実な取り付けを可能にするために、収容部が、特にピン状の電気的なコンタクトピンのための開口を有しており、開口が、導入開口の側方に配置されているようになっている。
【００２４】
コネクタハウジングの、全体的に見てコンパクトな構造は、特に、コネクタハウジングが複数の収容部を備え、少なくとも一列の、隣り合って配置され、それぞれ交番する導入開口及び開口が形成されると達成される。
【００２５】
さらに、これに対して択一的には、コネクタハウジングが複数の収容部を備え、少なくとも一列の、重なり合って配置される導入開口及び開口が形成されていてもよい。
【００２６】
一方では、コネクタハウジングの構成高さを最小にするめに、他方では、横方向壁に対する係止要素の間隔を可及的大きく選択して、従来技術において存在する冷却中の問題を回避するために、本発明の一形態では、当接面が、コネクタハウジング内に配置される横方向壁に形成されており、横方向壁が、当接面と比較して、係止要素に対してより大きな間隔を有するようになっている。
【００２７】
しかし、これに対して択一的な形態では、当接面が、係止要素の上方に配置されるハウジング区分に形成されており、かつコネクタハウジングが自由空間を備え、該自由空間内に係止要素が係止要素の運動時に進入するようになっていてもよい。これにより、ハウジングの横方向で構成スペースが最適に利用されるので、所定の数の収容部が隣り合ってあるいは横並びに配置されているとき、当該方向での構成スペースは減じられている。
【００２８】
本発明のその他の利点、特徴及び細部は、有利な実施の形態についての以下の説明及び図面から看取される。
【図面の簡単な説明】
【００２９】
【図１】背景技術に係る差込み接続部の断面図である。
【図２】本発明に係る差込み接続部のコネクタハウジングの断面斜視図である。
【図３】図２に示したコネクタハウジングの一部の正面斜視図である。
【図４】図３に対して改変されたコネクタハウジングの正面斜視図である。
【発明を実施するための形態】
【００３０】
図１には、従来技術に係る差込み接続部１０が示されている。差込み接続部１０は、プラスチックから射出成形法で製造されるコネクタハウジング１１を備える。コネクタハウジング１１は、電気的なコンタクトエレメント１２と協働する。コンタクトエレメント１２は、この従来技術では打抜き曲げ部品として金属薄板から形成されており、接続領域１３を備える。接続領域１３は、例えば、図示しない圧着接続によって接続線に電気伝導性に接続されている。さらに、コンタクト片１４，１５が設けられている。コンタクト片１４，１５の間には、特にピン状の、やはり図示しないコンタクトピンが導入されて、コンタクトエレメント１２と電気的にコンタクトすることができる。コンタクトエレメント１２の一区分１６には、切欠き１７が形成されている。
【００３１】
切欠き１７内には、係止要素１８の係止フック１９が突入する。係止要素１８は、一体的にコネクタハウジング１１に形成されている。コンタクトエレメント１２が図１に示した位置にあるとき、コンタクトエレメント１２はコネクタハウジング１１に、係止要素１８を介して係止あるいは結合されている。特に、矢印２１の方向でのコンタクトエレメント１２の運動時、係止フック１９への切欠き１７の当接が生じるので、コンタクトエレメント１２を矢印２１の方向でコネクタハウジング１１から引き抜くことはできない。それにもかかわらず、コンタクトエレメント１２を再びハウジング１１から除去するためには、図示しない工具、例えばねじ回しを用いて、片側でコネクタハウジング１１に一体形成された係止要素１８を、矢印２１の方向に対して横方向に、矢印２２の方向で運動させる必要がある。このために、工具は、係止要素１８とコンタクトエレメント１２との間の中間室２３に係合する。
【００３２】
係止要素１８が弾性的な領域でのみ変形あるいは運動するように、矢印２２の方向での係止要素１８の運動を制限するため、横方向壁２５がコネクタハウジング１１に一体形成されている。これにより、横方向壁２５は、横方向壁２５の当接面２６によって、係止要素１８のための行程制限部として機能する。
【００３３】
図２には、次に、本発明に係る差込み接続部５０の主要な領域が示されている。差込み接続部５０は、本実施の形態では、特に射出成形部品として形成されているコネクタハウジング５１を備える。コネクタハウジング５１内には、図示の実施の形態では、それぞれ２つの収容部５２が隣り合って（ｎｅｂｅｎｅｉｎａｎｄｅｒ）配置され、かつ２つの収容部５２が重なり合って（ｕｅｂｅｒｅｉｎａｎｄｅｒ）配置されている。もちろん、異なる数の収容部５２を横あるいは縦にコネクタハウジング５１内に配置することも可能である。収容部５２の一方の側には、コネクタハウジング５１内に、それぞれ１つの接続開口５４が形成されている。接続開口５４は、特に図３及び図４から看取されるように、平らな斜面を備え、全体として漏斗状あるいはホッパ状に形成されており、中央の開口５５を備える。開口５５内には、特にピン状の、図示しないコンタクトピンを導入して、やはり図示しない、図１に係る背景技術から公知であって、それゆえにこれをもって開示したものとする電気的なコンタクトエレメントと、電気的にコンタクトさせることができる。
【００３４】
差込み接続部１０と同様に、差込み接続部５０も係止要素５７を備える。係止要素５７は係止フック５８を有しており、係止フック５８は、電気的なコンタクトエレメントと協働して、コネクタハウジング５１からコンタクトエレメントが思いがけず引き抜かれてしまうことを防止する。係止要素５７は、コネクタハウジング５１の、接続開口５４に対向する側において、一体的にコネクタハウジング５１に形成されており、舌状に形成されている。各々の接続開口５４の側方には、コネクタハウジング５１に、導入開口６０が形成されている。導入開口６０内には、適当な工具が導入可能であって、係止要素５７を、電気的なコンタクトエレメントをロックする位置から、矢印６２の方向（差込み接続部１０に示した矢印２２に対応）で運動させることができる。
【００３５】
本発明では、係止要素５７の上方に、当接ウェブ６３が係止要素５７に一体形成されている。当接ウェブ６３は、ほぼ係止要素５７の全長にわたって（係止要素５７の先端を除いて）形成されている。当接ウェブ６３は当接面６４と協働可能である。当接面６４は、横方向壁６６を介して一体的にコネクタハウジング５１に結合されている壁区分６５に形成されている。当接面６４は、本実施の形態では、係止要素５７の上方の一平面内に、当接ウェブ６３の高さに配置されている。
【００３６】
その際、重要なのは、横方向壁６６と係止要素５７との間の間隔が当接ウェブ６３と当接面６４との間の間隔よりも大きいことである。係止要素５７を電気的なコンタクトエレメントとの作用結合から解除するために、係止要素５７が矢印６２の方向で運動させられる。係止要素５７あるいは係止フック５７がもはや電気的なコンタクトエレメントと接触していない終端位置において、当接ウェブ６３は、当接面６４側の面で、有利には完全に当接面６４に当接する。当接ウェブ６３が完全に当接面６４に当接することは、当接面６４が少なくとも当接ウェブ６３の延在寸法あるいは延在長さを有することによって可能となる。このとき、係止要素５７の変位は、係止要素５７が弾性的な領域で変位されているようになっている。
【００３７】
図４に示した実施の形態では、ハウジング７１が、ハウジング５１とは異なり、係止要素５７の運動方向に横方向壁を有しない差込み接続部７０が示されている。むしろ、当接面７２は、係止要素５７の上方に配置されるハウジング区分７３に一体形成されている。これにより、横方向壁６６の代わりに自由空間７４が形成されている。この自由空間７４内には、係止要素５７が、矢印６２の方向で変位する際に進入する。
【００３８】
上述した本発明に係る差込み接続部５０，７０は、本発明の思想を逸脱することなく、多様に改変あるいは変更することができる。重要なのは、電気的な接続要素を取り外す際に係止位置から変位可能な係止要素５７が、係止要素５７の上方に配置されている当接面６４，７２と協働することだけである。これにより、係止要素５７の近傍に配置される横方向壁が省略される。もちろん、付加的な当接面を係止要素５７の下方に配置することも可能である。当接ウェブ６３の形状を異なるものに形成してもよい。
【符号の説明】
【００３９】
１０  差込み接続部、  １１  コネクタハウジング、  １２  コンタクトエレメント、  １３  接続領域、  １４，１５  コンタクト片、  １６  コンタクトエレメントの区分、  １７  切欠き、  １８  係止要素、  １９  係止フック、  ２１  矢印（コンタクトエレメントの運動方向）、  ２２  矢印（係止要素の運動方向）、  ２３  中間室、  ２５  横方向壁、  ２６  当接面、  ５０  差込み接続部、  ５１  コネクタハウジング、  ５２  収容部、  ５４  接続開口、  ５５  開口、  ５７  係止要素、  ５８  係止フック、  ６０  導入開口、  ６２  矢印（係止要素の運動方向）、  ６３  当接ウェブ、  ６４  当接面、  ６５  壁区分、  ６６  横方向壁、  ７０  差込み接続部、  ７１  ハウジング、  ７２  当接面、  ７３  ハウジング区分、  ７４  自由空間
【図１】
2011060768.tif 000003
【図２】
2011060768.tif 000004
【図３】
2011060768.tif 000005
【図４】
2011060768.tif 000006